(57)【要約】【課題】簡単に入手できるポリ袋を貯水袋として利用するため、この貯水袋から取水を行う取水ノズルを提供する。【解決手段】取水ノズル１０は、貯水袋１４の内側に配置され、ねじが形成された口部２４を有する本体２２と、袋の外側に配置され、ねじが形成され、このねじをもって本体の口部２４にねじ結合するキャップ２６と、本体口部２４のねじの軸方向に沿って配置され、貯水袋の内外を貫通する管状の貫通パイプ３０を有している。貫通パイプ３０を通って、貯水袋１４内の液体が外部に取り出される。【選択図】        図２
2004315057.tif 000002
【特許請求の範囲】
【請求項１】
液体を貯めた袋に装着され、そこから液体を取り出す取水ノズルであって、
前記袋の内側に配置され、結合部が形成された、略管状の口部を有する本体と、
前記袋の外側に配置され、結合部が形成され、この結合部をもって前記本体口部の結合部に結合するキャップと、
前記本体口部の管状の軸方向に沿って配置され、前記袋の内外を貫通する管状の貫通パイプと、
を有し、
前記貫通パイプの一端はとがっており、また貫通パイプの軸方向ほぼ中央部には、前記本体と前記キャップとに挟まれるフランジが設けられている、
取水ノズル。
【請求項２】
請求項１に記載の取水ノズルであって、前記キャップと、前記貫通パイプが一体に成形されている、取水ノズル。
【発明の詳細な説明】
【０００１】
【発明の属する技術分野】
本発明は、災害時、緊急時などに、いわゆるポリ袋やビニル袋などを貯水袋として使用する場合、その貯水袋から蓄えた流体を取り出す取水ノズルに関する。
【０００２】
【従来の技術】
災害時や緊急時に、河川やプールなどの水をろ過して飲料水を提供する装置が提案されている（特許文献１参照）。この場合、エンジンを動力源とするポンプなどにより揚水し、中空糸などを用いたろ過器を通して浄化を行っている。
【０００３】
また、水道等が利用できない地域または事態において、ポリエチレン製など水を蓄えた袋の底部に取り付けられたノズルから取水を行う簡易型の貯水器が提案されている（特許文献２参照）。
【０００４】
【特許文献１】
特開平９−７１９７９号公報
【特許文献２】
特開２００２−２０９７８４号公報
【０００５】
【発明が解決しようとする課題】
特許文献１のように、ポンプにより揚水してろ過をを行う装置は、比較的規模が大きく、災害時などにおいて、その地域の多数の人、世帯に飲料水を供給するのには適している。しかし、一人または数人の少人数用として用いるのには、規模が大きく取扱いが不便であった。また、携帯することも困難であった。
【０００６】
また、特許文献２の場合には、水を蓄える専用の袋と水を取り出すための構成があらかじめ用意されている。貯水用の袋が専用であるため、その分携帯に不便であった。
【０００７】
本発明は、入手がたやすい一般的な袋を貯水用の袋として用いることができるようにする取水用のノズルを提供することを目的とする。
【０００８】
【課題を解決するための手段】
本発明の取水ノズルは、袋の内側に配置され、結合部が形成された、略管状の口部を有する本体と、前記袋の外側に配置され、結合が形成され、この結合部をもって前記本体口部の結合部に結合するキャップと、前記本体口部の軸方向に沿って配置され、前記袋の内外を貫通する管状の貫通パイプと、を有し、前記貫通パイプの管状の一端はとがっており、また貫通パイプの軸方向ほぼ中央部には、前記本体と前記キャップとに挟まれるフランジが設けられている。
【０００９】
入手した袋の内側に、口部が袋に向くように本体を配置し、袋の外側からとがった端を袋に向けて貫通パイプを配置する。貫通パイプにかぶせるようにしつつ、キャップを本体口部に結合させる。これにより、貫通パイプのとがった先端が袋に穴を開け、また貫通パイプは本体の口部とキャップに狭持されて固定される。
【００１０】
【発明の実施の形態】
以下、本発明の実施の形態（以下実施形態という）を、図面に従って説明する。図１は、本実施形態の取水ノズル１０を用いたろ過装置１２の概要を示す図である。ポリエチレン樹脂など水を透過しない材質でできた貯水袋１４の底部に取水ノズル１０が装着されている。取水ノズル１０の詳細な構造については、後述する。取水ノズル１０には、塩化ビニルなど可撓性であり透水性のないチューブ１６が連結され、チューブ１６のもう一方の端はダイアライザ１８の入り口に接続されている。ダイアライザ１８は、中空糸などの膜体を有し、この膜体を水が通過する際に不純物等が除去される。また、チューブ１６の途中には、貯水袋１４からの水の流出を制御するバルブ２０が設けられている。貯水袋１４に水を貯め、バルブ２０を開放すると、貯められた水がダイアライザ１８に導かれ、ろ過された水がダイアライザ１８の出口より放出される。ダイアライザのもう一組の口は、キャップ１９ａ，１９ｂでふさがれている。
【００１１】
図２は、取水ノズル１０の詳細を示す断面図である。貯水袋１４の内側に、本体２２が配置されている。本体２２は、外周面に雄ねじが形成された略円筒状または略円管状の口部２４を有している。さらに、取水ノズル１０は、口部２４の雄ねじに、ねじ結合可能な雌ねじを有するキャップ２６を含んでいる。キャップ２６の端面には、穴２８が設けられている。さらにまた、取水ノズル１０は、貫通パイプ３０を含んでいる。貫通パイプ３０は、口部２４の軸に沿って配置され、その一方の端がとがっている管状部３２と、管状部３２のほぼ中央より半径方向に延びるように配置されるフランジ３４を有している。管状部３２は中空であり、その穴は、フランジ３４を境にした両側を連通している。貫通パイプ３０は、管状部３２のとがった先端を本体２２の方に向けるように配置され、フランジ３４が、口部２４の先端とキャップ２６の端面に狭持されることにより固定される。
【００１２】
貯水袋１４に取水ノズル１０を取り付ける作業は次のように行われる。一般的なビニール袋、コンビニエンスストアやスーパーマーケットのレジ袋を用意し、これの内側に、本体２２を、口部２４を袋側に向けて配置する。口部２４を、貯水袋１４に押しつけ、貯水袋１４が口部２４を覆うようにする。これにより口部２４の端は、貯水袋１４の一部により、それが膜を張ったようにしてふさがれた状態となる。一方、貫通パイプ３０をキャップの穴２８に貫通した状態とし、この状態で、キャップ２６を前述の口部２４にかぶせるようにする。このときの貫通パイプの管状部３０は、そのとがった先端が貯水袋１４に向くように配置されている。
【００１３】
キャップ２６を口部２４に対してねじ込むと、これにつれて貫通パイプ３０が本体２２側へと移動し、その先端が口部２４に膜状に張られた貯水袋１４に穴を開ける。さらに、キャップ２６をねじ込み、口部２４の端とキャップ２６の端面で、フランジ３４を狭持させる。フランジ３４が、貯水袋１４を挟んで口部２４に密着固定し、この部分のシールが達成される。
【００１４】
貫通パイプ３０の軸方向に延びる穴、および管状部３２のとがった端部の根本付近に半径方向に明けられる穴により、貯水袋１４の内外が連通され、蓄えられた水が、これらの穴を通って外に流れ出る。
【００１５】
図３は、他の実施形態の取水ノズル５０を示す断面図である。貯水袋１４は、前述のものと同じものであり、その内側に本体５２が配置されている。本体５２は、外周面に円環状の突条５４を有する略円管状の口部５６を有している。さらに、取水ノズル５０は、口部５６の円環状の突条５４に対応する略円環状の溝５８を有する、キャップ６０を含んでいる。キャップ６０の頭部には、本体５２側が錐体、例えば円錐となった突起６２が設けられている。突起６２内には、口部の管の軸方向に延びる貫通孔６４が形成されている。貫通孔６４は、突起６２の先端付近で、横に延び、突起６２の先端部を確保している。
【００１６】
取水ノズル５０の取付は、貯水袋１４の内側に、本体５２を、口部５６が袋側に向くように配置する。口部５６を、貯水袋１４に押しつけ、貯水袋１４が口部５６を覆うようにする。これにより口部５６の端は、貯水袋１４の一部により、それが膜を張ったようにしてふさがれた状態となる。この口部５６にキャップ６０をかぶせるようにして押しつける。このとき、キャップ６０の突起６２の先端が貯水袋１４に穴を開ける。また、キャップ６０と本体５２がたわんで、溝５８と口部の突条５４が係合し、本体５２とキャップ６０が結合する。
【００１７】
取水ノズル５０は、キャップ６０を押し込むことにより結合するもので、迅速で簡単な動作でセットが可能となる。また、キャップ６０をねじ込むものではないので貯水袋１４にしわができにくく、シールが容易に行える。
【００１８】
以上、貯水袋１４に蓄える液体が水の場合について説明したが、他の液体に対して用いることもできる。
【図面の簡単な説明】
【図１】本実施形態の取水ノズルを用いたろ過装置の概略構成図である。
【図２】本実施形態の取水ノズルの詳細を示す断面図である。
【図３】他の実施形態の取水ノズルを示す断面図である。
【符号の説明】
１０，５０  取水ノズル、１２  ろ過装置、１４  貯水袋、１８  ダイアライザ、２２，５２  本体、２４，５６  口部、２６，６０  キャップ、３０  貫通パイプ、３２  管状部、３４  フランジ。
【図１】
2004315057.tif 000003
【図２】
2004315057.tif 000004
【図３】
2004315057.tif 000005